(57)【特許請求の範囲】
【請求項１】
複数設けられたマイク入力路から選択的に一つのマイク入力路を選択する入力切替手段と、前記入力切替手段を介して入力されたマイク入力信号に対して外部からの制御信号に応じた減衰量を与える第１の可変減衰手段と、前記第１の可変減衰手段の出力信号を無線搬送波に重畳させる無線送信手段と、受信した無線信号を復調する復調手段と、前記復調手段の出力信号に外部からの制御信号に応じた減衰量を与える第２の減衰手段と、複数設けられたスピーカ出力路から選択的に一つのスピーカ出力路を選択して前記第２の減衰手段の出力信号を当該スピーカ出力路へ出力する出力切替手段と、前記入力切替手段によりいずれのマイク入力路が選択されたか及び前記出力切替手段によりいずれのスピーカ出力路が選択されたかを識別する識別手段と、前記入力切替手段により選択されるマイク入力路に対応して予め設定された前記第１の可変減衰手段における減衰量及び前記出力切替手段により選択されるスピーカ出力路に対応して予め設定された前記第２の可変減衰手段における減衰量を記憶する記憶手段と、前記識別手段の識別結果に応じて前記記憶手段から記憶データを読み出し、この読み出しデータに応じて前記第１及び第２の可変減衰手段の減衰量を設定すべく前記第１及び第２の可変減衰手段へ制御信号を出力する減衰量制御手段と、を具備してなることを特徴とする音声レベル調整装置。
【発明の詳細な説明】
【０００１】
【産業上の利用分野】
本発明は、音量調節回路に係り、特に、携帯電話等の本体組込のマイク及びスピーカと、外部接続のマイク及びスピーカとの切替の際に適切な音量レベルの設定が効率良く行われるようにした音量レベル調節装置に関する。
【０００２】
【従来の技術】
従来、この種の装置としては、例えば、携帯電話機のように本体にマイクロホンとスピーカとが内蔵されており、しかも切替により外部のマイクロホンとスピーカとを接続して使用できるようにしたものにおいて、それぞれの音声系統毎に調整用の半固定抵抗器を設け、製造段階において標準のレベル設定を行うように構成されたものが知られている。
すなわち、図６にはかかる従来装置の概略構成が示されており、以下、同図を参照しつつ従来装置について概略的に説明すれば、先ず、この図６は携帯電話機における例を示したものである。
【０００３】
この携帯電話機は、無線処理部１と、音声処理部２と、これらの動作を制御する制御部３とに大別されてなるものである。
音声処理部２は、内蔵マイク４からの信号を増幅する第１の増幅回路６と、外部マイク接続端子１０に接続される外部マイク（図示せず）からの信号を増幅する第２の増幅回路７と、内蔵マイク４と外部マイクとの切替を行うマイク切替スイッチ１１（図６において「ＳＷＴ  」と略記）と、内蔵スピーカ５へ入力する信号の増幅を行う第３の増幅回路８と、外部スピーカ接続端子１２に接続される外部スピーカ（図示せず）へ入力される信号を増幅する第４の増幅回路９と、内蔵スピーカ５と外部スピーカ（図示せず）との切替を行うスピーカ切替スイッチ１３（図６において「ＳＷＲ  」と略記）と、コンパンダ１４及びフィルタ回路１５とを主たる構成要素としてなるものである。
【０００４】
さらに、音声処理部２において、内蔵マイク４と第１の増幅回路６との間には、第１の半固定抵抗器１６ａが、外部マイク接続端子１０と第２の増幅回路７との間には、第２の半固定抵抗器１６ｂが、第３の増幅回路８とスピーカ切替スイッチ１３との間には第３の半固定抵抗器１６ｃが、第４の増幅回路９とスピーカ切替スイッチ１３との間には第４の半固定抵抗器１６ｄが、それぞれ接続されており、信号レベルの調整を行えるようになっている。
【０００５】
一方、無線処理部１は、送信回路１ａ（図６において「ＴＸ」と略記）と、受信回路１ｂ（図６において「ＲＸ」と略記）と、電磁波の放射及び受信を行なうアンテナ１７とを具備してなるものである。
また、制御部３は、ＣＰＵ３ａを中心にして構成されており、本機全体の動作制御・監視等を行うものである。
【０００６】
かかる構成において、内蔵マイク４及び内蔵スピーカ５を使用する場合、先ず、内蔵マイク４からの音声は第１の増幅回路６により増幅された後、コンパンダ１４の圧縮器１４ａにより信号レベルが圧縮され、さらにフィルタ回路１５の送信音声処理フィルタ１５ａにより一定の音声周波数領域に制限され、送信回路１ａにより変調されることによって、アンテナ１７から電磁波として放射されるようになっている。
【０００７】
一方、受信状態においては、アンテナ１７で受信した信号は、受信回路１ｂにより復調され、フィルタ回路１５の受信音声処理フィルタ１５ｂによってフィルタリングを受けた後、コンパンダ１４の伸張器１４ｂによってレベル伸張を受け、その後、第３の増幅回路８によって増幅されて内蔵スピーカ５に入力されるようになっている。
【０００８】
一方、外部マイク及び外部スピーカ（いずれも図示せず）を用いる際には、マイク切替スイッチ１１及びスピーカ切替スイッチ１３を図６に示された接点とは反対側へ設定することによって外部マイク及び外部スピーカが使用できるようになっている。
【０００９】
【発明が解決しようとする課題】
ところで、上記構成においては、内蔵マイク４と外部マイクとの出力レベルのばらつき及び内蔵スピーカ５と外部スピーカとの出力レベルのばらつきを補正するために、第１乃至第４の増幅回路６〜９の入力側或いは出力側のいずれかにおいて、第１乃至第４の半固定抵抗器１６ａ〜１６ｄが設けられた構成となっている。
【００１０】
このように、従来の構成においては、各信号系統毎すなわち、内蔵マイク４からの信号を増幅してコンパンダ１４へ入力する信号路、外部マイクからの信号を増幅してコンパンダ１４へ入力する信号路、フィルタ回路１５からの信号を増幅して内蔵スピーカ５へ入力する信号路及びフィルタ回路１５からの信号を増幅して外部スピーカへ入力する信号路毎に、半固定抵抗器を設けた構成であるので、部品点数の増加を招き装置全体の信頼性低下の原因となるばかりか、装置の小型化を阻みさらには高価な装置となるという問題を生じていた。
また、製造行程においては、上述の各信号路に設けられた半固定抵抗器を一つづつ調節しなけらばならないので、手間がかかり装置の高価格化の一因となっていた。
【００１１】
本発明は上記実情に鑑みて為されたもので、簡易な構成で製造段階における調節作業の省力化を図ることができ、小型で簡易な構成の音量レベル調整装置を提供することを目的とする。
【００１３】
【課題を解決するための手段】
本発明に係る音声レベル調整装置は、複数設けられたマイク入力路から選択的に一つのマイク入力路を選択する入力切替手段と、前記入力切替手段を介して入力されたマイク入力信号に対して外部からの制御信号に応じた減衰量を与える第１の可変減衰手段と、前記第１の可変減衰手段の出力信号を無線搬送波に重畳させる無線送信手段と、受信した無線信号を復調する復調手段と、前記復調手段の出力信号に外部からの制御信号に応じた減衰量を与える 第２の減衰手段と、複数設けられたスピーカ出力路から選択的に一つのスピーカ出力路を選択して前記第２の減衰手段の出力信号を当該スピーカ出力路へ出力する出力切替手段と、前記入力切替手段によりいずれのマイク入力路が選択されたか及び前記出力切替手段によりいずれのスピーカ出力路が選択されたかを識別する識別手段と、前記入力切替手段により選択されるマイク入力路に対応して予め設定された前記第１の可変減衰手段における減衰量及び前記出力切替手段により選択されるスピーカ出力路に対応して予め設定された前記第２の可変減衰手段における減衰量を記憶する記憶手段と、前記識別手段の識別結果に応じて前記記憶手段から記憶データを読み出し、この読み出しデータに応じて前記第１及び第２の可変減衰手段の減衰量を設定すべく前記第１及び第２の可変減衰手段へ制御信号を出力する減衰量制御手段と、を具備してなるものである。
【００１５】
【作用】
本発明においては、第１の可変減衰手段は入力切替手段により複数のマイク入力路のいずれかに選択的に接続される一方、第２の可変減衰手段は出力切替手段により複数のスピーカ出力路のいずれかに選択的に接続される。そして、減衰量制御手段には識別手段から第１の可変減衰手段がいずれのマイク入力路に接続され、また第２の可変減衰手段がいずれのスピーカ出力路に接続されたかについての識別結果が入力され、そのマイク入力路及びスピーカ出力路に対応した第１及び第２の可変減衰手段の減衰量が記憶手段から読み出され、第１及び第２の可変減衰手段が減衰量制御手段によってその減衰量に設定されることとなり、一つの第１の可変減衰手段で複数のマイク入力路に対応でき、また、一つの第２の可変減衰手段で複数のスピーカ出力路に対応することができるものである。
【００１６】
【実施例】
以下、本発明にかかる音声レベル調節装置の一実施例を図１乃至図５を参照しつつ説明する。ここで、図１は本発明に係る音声レベル調節装置が組み込まれた携帯電話機の一実施例における構成を示す構成図、図２はＣＰＵによる音声レベル調節の手順を示すフローチャート、図３は識別回路の一実施例を示す回路図、図４はマイクロフォンのレベル調節の概略手順を説明するための説明図、図５はスピーカのレベル調節の概略手順を説明するための説明図である。
尚、以下に説明する部材、配置等は本発明を限定するものではなく、本発明の趣旨の範囲内で種々改変することができるものである。
【００１７】
先ず、本実施例は、携帯電話機に適用された例であり、図６に示された従来の携帯電話機と同一の構成要素には同一の符号を付すものとする。
すなわち、本実施例における携帯電話機Ｓ１は、それ自体単独で使用できるように内蔵マイク４と内蔵スピーカ５とを有すると共に、自動車内で本機を手にすることなく（いわゆるハンドフリー）使用できるように自動車に設置された車載用アダプタ（図示せず）に携帯電話機Ｓ１を載置した際、車載用アダプタを介して外部マイク及び外部スピーカによりハンドフリーで通話できるようになっているものである。
【００１８】
本実施例における携帯電話機Ｓ１は、搬送波の変調及び受信電波の復調等を行う無線処理部（ＲＡＤＩＯ部）１と、音声信号のフィルタリングや増幅を行う音声処理部２’と、携帯電話機Ｓ１全体の動作を制御する制御部３とに大別されてなるものである。
無線処理部１は、搬送波の変調を行う送信回路（ＴＸ）１ａと、受信信号の復調を行う受信回路（ＲＸ）１ｂと、電磁波の放射及び受信を行うアンテナ１７とを有してなるもので、従来同様の構成である。
【００１９】
音声処理部２’は、次述するような点において、従来装置の構成（図６参照）と異なっている。
すなわち、本実施例における第１乃至第４の増幅回路６〜９は、それぞれ演算増幅器６ａ，７ａ，８ａ，９ａを中心として構成されたもので、内蔵マイク４と演算増幅器６ａの入力段との間には抵抗１９ａが、外部マイク接続端子１０と演算増幅器７ａの入力段との間には抵抗１９ｂが、演算増幅器８ａの入力段とスピーカ切替スイッチ１３との間には抵抗１９ｃが、さらに、演算増幅器９ａの入力段とスピーカ切替スイッチ１３との間には抵抗１９ｄが、それぞれ接続されており、従来と異なり半固定抵抗器に代わって固定抵抗となっている。
【００２０】
また、コンパンダ１４は、入力信号のダイナミックレベルを一定の範囲に圧縮する圧縮器１４ａと、入力信号のダイナミックレベルを一定の範囲に伸張する伸張器１４ｂとからなる周知・公知のものであり、従来と同一構成のものである。圧縮器１４ａは第１又は第２の増幅回路６，７を経たマイクロフォンからの音声信号を圧縮して後述する送信用電子減衰器（図１において「Ｔｘ    ＡＴＴ」と略記）２０へ出力する一方、伸張器１４ｂは受信回路１ｂにより復調され、フィルタ回路１５を経て入力された音声信号を伸張し、後述する受信用電子減衰器（図１において「Ｒｘ    ＡＴＴ」と略記）２１へ出力する。
【００２１】
コンパンダ１４の圧縮器１４ａとフィルタ回路１５の送信音声処理フィルタ１５ａとの間には送信用電子減衰器２０が接続される一方、伸張器１４ｂと受信音声処理フィルタ１５ｂとの間には受信用電子減衰器２１が接続されている。
送信用電子減衰器２０及び受信用電子減衰器２１は、基本的に同一の構成を有する減衰器であり、本実施例においては特にトランジスタ等を用いてなる電子式のもので、制御部３のＣＰＵ３ａから入力される制御信号に応じてその減衰量が変化するようになっているものである（詳細は後述）。
【００２２】
制御部３は、ＣＰＵ３ａと、ＥＥＰＲＯＭ２２と、識別回路（図１において「ＩＤ」と略記）２３とを有してなるもので、ＣＰＵ３ａは携帯電話機Ｓ１全体の動作制御を行うもので、それ自体はいわゆるＩＣ化された集積回路として公知・周知のものが用いられている。
【００２３】
また、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）は、電気的にデータの書き込み及び消去が可能な読み出し専用のメモリとして公知・周知のものである。このＥＥＰＲＯＭ２２には、先の送信用電子減衰器２０及び受信用電子減衰器２１の減衰量をＣＰＵ３ａにより制御するためのデータが記憶されており、このデータが識別回路２３の設定に応じてＣＰＵ３ａに読み込まれるようになっている（詳細は後述）。
【００２４】
そして、ＣＰＵ３ａからは、このＥＥＰＲＯＭ２２から入力したデータに応じた制御信号が送信用電子減衰器２０又は受信用電子減衰器２１に出力されることによって、これら送信用電子減衰器２０及び受信用電子減衰器２１の減衰量が設定されるようになっている。
【００２５】
ＣＰＵ３ａがＥＥＰＲＯＭ２２から読み出すデータは、内蔵マイク４及び内蔵スピーカ５を使用する場合と、外部マイク及び外部スピーカを使用する場合とでは異なるので、ＣＰＵ３ａではいずれの使用状態にあるかの情報が必要となる。
【００２６】
識別回路２３は、このように内蔵マイク４及び内蔵スピーカ５の使用状態か、外部マイク及び外部スピーカ（いずれも図示せず）の使用状態かをＣＰＵ３ａが識別するための予め定められた識別データをＣＰＵ３ａへ出力するものである。具体的には、図３に示されたような回路が使用できる。すなわち、識別回路２３は、第１の識別抵抗２４ａ、第２の識別抵抗２４ｂ、分圧共通抵抗２４ｃ及び識別抵抗切替スイッチ２５とを有してなるものである。
【００２７】
識別抵抗切替スイッチ２５の第１の端子２５ａはＣＰＵ３ａのＡ／Ｄ端子（図３参照）及び分圧共通抵抗２４ｃの一方の端子に接続される一方、第２の端子２５ｂには第１の識別抵抗２４ａ（抵抗値ｒ２とする）の一方の端子が、第３の端子２５ｃには第２の識別抵抗２４ｂ（抵抗値ｒ３とする）の一方の端子がそれぞれ接続されており、さらに、これら第１及び第２の識別抵抗２４ａ，２４ｂのそれぞれの他方の端子は、共に接地されている。また、分圧共通抵抗２４ｃ（抵抗値ｒ１とする）の他方の端子は電源ＶＤＤに接続されている。
【００２８】
識別抵抗切替スイッチ２５は、マイク切替スイッチ１１及びスピーカ切替スイッチ１３と連動しており、図示しない選択スイッチにより内蔵マイク４及び内蔵スピーカ５の使用が選択された場合、識別抵抗切替スイッチ２５の第１の端子２５ａと第２の端子２５ｂとが接続されるようになっている。この状態において、分圧共通抵抗２４ｃと第１の識別抵抗２４ａとが電源ＶＤＤとアース間に直列接続されることとなり、ＣＰＵ３ａのＡ／Ｄ端子には、ＶＤＤ×ｒ２  ／（ｒ１  ＋ｒ２  ）で表される電圧が印加され、ＣＰＵ３ａ内部においてこの電圧値に相当するディジタル値に変換されて、内蔵マイク４及び内蔵スピーカ５使用状態における識別データとして利用されることとなる。
【００２９】
一方、図示しない選択スイッチにより外部マイク及び外部スピーカの使用が選択された場合、識別抵抗切替スイッチ２５の第１の端子２５ａと第３の端子２５ｃとが接続状態となり、ＣＰＵ３ａのＡ／Ｄ端子には、ＶＤＤ×ｒ３  ／（ｒ１  ＋ｒ３  ）で表される電圧が印加され、上述と同様にＣＰＵ３ａ内においてディジタル値に変換され、外部マイク及び外部スピーカの使用状態であることを示す識別データとして利用されることとなる。
【００３０】
したがって、第１の識別抵抗２４ａは内蔵マイク４及び内蔵スピーカ５の使用状態を識別するためのものであり、第２の識別抵抗２４ｂは外部マイク及び外部スピーカの使用状態を識別するためのものであり、それぞれ予め抵抗値を適宜選択することにより、ＣＰＵ３ａ内ではＡ／Ｄ端子を介して入力される信号値の違いにより上述したいずれの使用状態にあるかを識別できるようになっている。
【００３１】
次に、送信用電子減衰器２０及び受信用電子減衰器２１の減衰量を定めるＥＥＰＲＯＭ２２に記録されるデータの取得方法について説明する。
先ず、図示しない選択スイッチにより内蔵マイク４及び内蔵スピーカ５の使用を選択し、識別回路２３において、第１の識別抵抗２４ａが選択されるようにする。
この場合、マイク切替スイッチ１１及びスピーカ切替スイッチ１３においても、それぞれの第１の端子１１ａ，１２ａと第２の端子１１ｂ，１２ｂとが接続されるようになる（図１参照）。
【００３２】
携帯電話本体の規格中、音声レベルに関する規格の例としては、例えば、周波数１ＫＨＺ  で信号レベル−５ｄＢｐａの信号をマイク入力した時、変調波のスペクトラムの拡がりΔｆが±２．３ＫＨＺ  であること、また、ベースバンド信号の中心周波数が１ＫＨＺ  で変調波のスペクトラムの拡がりΔｆが±２．３ＫＨＺ  である電波を受信した際のスピーカ出力が−１０ｄＢｐａであることとする規格がある。
かかる規格を満足するべく送信用電子減衰器２０を調整する場合について説明すれば、先ず、この調整においては、図４のような測定回路を形成する。
【００３３】
すなわち、携帯電話機Ｓ１は音響カップラ２６に載置され、携帯電話機Ｓ１の内蔵マイク４が音響カップラ２６に設けられたスピーカ２７近傍に位置するようにする。このスピーカ２７には低周波信号発生器（図４において「ＯＳＣ」と略記）２８が接続されており、１ＫＨＺ  の正弦波が低周波信号発生器２８から供給されるようになっている。
また、携帯電話機Ｓ１にはアンテナに代えて変調分析器（図４において「ＭＯＤ／ＡＮＡ」と略記）２９を接続する。
【００３４】
そして、スピーカ２７における出力レベルが−５ｄＢｐａとなるように低周波信号発生器２８を調整する一方、変調分析器２９において変調波のベースバンド信号が１ＫＨＺ  で且つ変調波のスペクトラムの拡がりΔｆが±２．３ＫＨＺ  の測定結果が得られるように送信用電子減衰器２０を調整して減衰量を決定する。
【００３５】
この時、送信用電子減衰器２０の減衰量の調整方法の一つとしては、例えば、ＣＰＵ３ａとの接続を一時的に切り放しておき、送信用電子減衰器２０のＣＰＵ３ａが接続される端子に減衰量を制御する信号を外部から直接入力するようにするようにしてもよい。
そして、求められた減衰量を、ＥＥＰＲＯＭ２２に内蔵マイク４及び内蔵スピーカ５使用時の送信用電子減衰器２０の減衰量として記録する。
【００３６】
一方、内蔵マイク４及び内蔵スピーカ５使用時における受信系の調整は図５に示された計測回路を用いて行う。
すなわち、携帯電話機Ｓ１を音響カップラ２６に載置し、音響カップラ２６に設けられたモニタ用マイク３０と携帯電話機Ｓ１の内蔵スピーカ５とが音響的に結合されるようにする一方、モニタ用マイク３０の出力端をオシロスコープ３１に接続する。
【００３７】
また、携帯電話機Ｓ１にはアンテナに代えて所定の変調波（ベースバンド信号ｆｓ  ＝１ＫＨＺ  、変調波のスペクトラムの拡がりΔｆ＝±２．３ＫＨＺ  ）を入力する。そして、オシロスコープ３１を観測しつつ内蔵スピーカ５における出力が−１０ｄＢｐａとなるように受信用電子減衰器２１を調整しその減衰量を決定する。
【００３８】
受信用電子減衰器２１の減衰量の調整方法の一つとしては、先の送信用電子減衰器２０の場合と同様に、ＣＰＵ３ａとの接続を一時的に切り放し、ＣＰＵ３ａが接続される受信用電子減衰器２１の入力端子に外部から制御信号を直接入力することが考えられる。
そして、求められた減衰量をＥＥＰＲＯＭ２２に内蔵マイク４及び内蔵スピーカ５使用時における受信用電子減衰器２１の減衰量として記録する。
【００３９】
次に、外部マイク及び外部スピーカ使用時における送信用電子減衰器２０及び受信用電子減衰器２１の減衰量の調整について説明する。
先ず、送信用電子減衰器２０の減衰量の調整であるが、この調整に使用される測定回路は図示は省略するが基本的には図４に示された構成と同一である。図４の構成と基本的に異なるのは、図４における内蔵マイク４が外部マイク（図示せず）に代わることである。
そして、図４で説明したと全く同様にして、送信用電子減衰器２０を調節して減衰量を決定し、その減衰量を外部マイク使用時における送信用電子減衰器２０の減衰量としてＥＥＰＲＯＭ２２に記録する。
【００４０】
また、受信用電子減衰器２１の減衰量の調整は、図示を省略するが基本的には図５に示された構成と同一構成の測定回路を使用して行われる。図５に示された構成と異なるのは、図５における内蔵スピーカ５が外部スピーカ（図示せず）に代わることである。
そして、図５で説明したと全く同様にして、受信用電子減衰器２１を調整して減衰量を決定し、その減衰量を外部スピーカ使用時における受信用電子減衰器２１の減衰量としてＥＥＰＲＯＭ２２に記録する。
【００４１】
次に、上述のようにしてＥＥＰＲＯＭ２２に記録されたデータに基づいて送信用電子減衰器２０及び受信用電子減衰器２１の減衰量が設定される際の携帯電話機Ｓ１の動作について図２を参照しつつ説明する。
携帯電話機Ｓ１の電源スイッチ（図示せず）が投入され、携帯電話機Ｓ１が動作状態となると、先ずＩＤデータの判別が行われる（図２のステップ１００）。すなわち、ＣＰＵ３ａがＡ／Ｄ端子からの電圧信号を取り込むことによって、携帯電話機Ｓ１が内蔵マイク４及び内蔵スピーカ５の使用状態にあるのか又は外部マイク及び外部スピーカの使用状態にあるのかの判定が行われる。そして、内蔵マイク４及び内蔵スピーカ５の使用状態（本体モード）であると判定された場合（図２においてＡの側）、ステップ１０２へ進み、この本体モードにおける送信用電子減衰器２０及び受信用電子減衰器２１の減衰量がＣＰＵ３ａによりＥＥＰＲＯＭ２２から読み出される。
【００４２】
一方、外部マイク及び外部スピーカ使用状態（ハンドフリーモード）であると判定された場合（図２においてＢの側）、ステップ１０４へ進み、このハンドフリーモードにおける送信用電子減衰器２０及び受信用電子減衰器２１の減衰量がＣＰＵ３ａによりＥＥＰＲＯＭ２２から読み出される。
【００４３】
そして、ＣＰＵ３ａからはステップ１０２又はステップ１０４においてＥＥＰＲＯＭ２２から読み出されたデータに応じた制御信号が送信用電子減衰器２０及び受信用電子減衰器２１に対して出力されて、送信用電子減衰器２０及び受信用電子減衰器２１が所定の減衰量に設定されることとなる（図２のステップ１０６参照）。
【００４４】
次に、上述のようにして送信用電子減衰器２０及び受信用電子減衰器２１の減衰量が設定された携帯電話機Ｓ１の全体動作について概括的に説明すれば、先ず、マイク及びスピーカは、内蔵マイク４及び内蔵スピーカ５の使用モードであるとすると、マイク切替スイッチ１１及びスピーカ切替スイッチ１３は、共にそれぞれの第１の端子１１ａ，１２ａと第２の端子１１ｂ，１２ｂとが接続された状態となる。
送信状態において、内蔵マイク４からの音声信号は、第１の増幅回路６により増幅され、コンパンダ１４の圧縮器１４ａによりレベル圧縮されて送信用電子減衰器２０に入力される。
【００４５】
送信用電子減衰器２０に入力された音声信号は、ＣＰＵ３ａによって設定された（図２のステップ１０２及びステップ１０６参照）減衰量の減衰を受けた後、フィルタ回路１５の送信音声処理フィルタ１５ａを通過してフィルタリングを施され、送信回路１ａにより搬送波に重畳されてアンテナ１７から電磁波として放射されることとなる。
【００４６】
一方、受信状態において、受信回路１ｂにより復調された信号は、受信音声処理フィルタ１５ｂによりフィルタリングを受けた後、伸張器１４ｂによりレベル伸張されて受信用電子減衰器２１に入力される。受信用電子減衰器２１に入力された信号は、この受信用電子減衰器２１がＣＰＵ３ａにより設定された減衰量（図２のステップ１０２及びステップ１０６参照）の減衰を受けた後、フィルタ回路１５を介して第３の増幅回路８に入力されて増幅され、内蔵スピーカ５が鳴動されることとなる。
【００４７】
次に、外部マイク及び外部スピーカ使用モードでは、第１の増幅回路６に代わってい第２の増幅回路７が、第３の増幅回路８に代わって第４の増幅回路９が動作することとなる。さらに、送信用電子減衰器２０及び受信用減衰器２１の減衰量は、上述の内蔵マイク４及び内蔵スピーカ５の使用モードとは別にＣＰＵ３ａによって設定された（図２のステップ１０４及び１０６参照）減衰量となる点を除けば、基本的な動作は上述したと同一であり、ここでの詳細な説明は省略することとする。
【００４８】
上述した実施例においては、識別回路２３により請求項１記載の発明における識別手段が、送信用電子減衰器２０及び受信用電子減衰器２１により請求項１記載の発明における可変減衰手段が、ＥＥＰＲＯＭ２２及びＣＰＵ３ａにより請求項１記載の発明における減衰量制御手段が、それぞれ実現されるようになてっいる。
【００４９】
また、請求項２記載の発明における入力切替手段はマイク切替スイッチ１１により、同じく第１の可変減衰手段は送信用電子減衰器２０により、同じく無線送信手段は送信回路１ａにより、同じく復調手段は受信回路１ｂにより、同じく第２の減衰手段は受信用電子減衰器２１により、同じく出力切替手段はスピーカ切替スイッチ１３により、同じく識別手段は識別回路２３により、同じく記憶手段はＥＥＰＲＯＭ２２により、同じく減衰量制御手段はＣＰＵ３ａにより、それぞれ実現されるようになっている。
【００５０】
本実施例においては、携帯用電話機における内蔵マイクと外部マイクとの切替の際に生ずるマイク特性の差に起因する音声レベルの違い及び内蔵スピーカと外部スピーカとの切替の際に生ずるスピーカ特性の差に起因する音声レベルの違いを補正する場合を例に採って説明したが、本発明は携帯用電話機に限定されるものではなく、他の無線通信装置等の音声処理部においても適用し得るものである。
また、本実施例においては、送信用電子減衰器２０及び受信用電子減衰器２１の減衰量を記録、読み出しするものとしてＥＥＰＲＯＭ２２を使用したが、ＥＰＲＯＭのようなものであっても構わないものである。
【００５１】
本実施例によれば、電気的に減衰量を変えることのできる送信用電子減衰器２０及び受信用電子減衰器２１を設け、これら減衰器２０，２１に接続されるマイク又はスピーカに応じて予め定まる必要な減衰量をＥＥＰＲＯＭ２２に記憶させ、識別回路２３によりいずれのマイク又はスピーカが使用されているかを識別できるようにし、その情報に基づいてＣＰＵ３ａが送信用電子減衰器２０及び受信用電子減衰器２１の減衰量を変えるように構成することで、従来と異なり複数のマイク入力路毎及び複数のスピーカ出力路毎に半固定抵抗を設ける必要がなくなり、部品点数の削減となるので、装置の小型化及び信頼性の向上、さらには低価格化が可能となるものである。
【００５２】
さらに、本実施例においては、ＥＰＲＯＭ２２に記憶したデータに応じて減衰器２０，２１の減衰量を電子的に変え得るようにしたので、ＥＥＰＲＯＭ２２に記憶するデータを取得する際にも、例えば、ＣＰＵ３ａにデータ取得用のプログラムを実行させる等して、製造過程における自動化が可能であり、そのため生産性の向上が図れることとなるものである。
【００５３】
【発明の効果】
以上、述べたように、本発明によれば、複数のマイク入力路毎のマイク感度のばらつき又は複数のスピーカ出力毎のスピーカ感度のばらつきを補正するものにあって、接続されるマイク入力路又はスピーカ出力路に応じて減衰器の減衰量を電気的且つ自動的に変え得るように構成することにより、従来と異なり、複数の半固定抵抗器を必要とすることがなくなるので、部品点数を削減することができ、簡易な構成となり、小型化が可能となるという効果を奏するものである。しかも、製造過程における調節が従来に比して簡単になり、そのため、作業工数の低減が図れ、装置の低価格化が可能となる効果がある。
【図面の簡単な説明】
【図１】本発明に係る音声レベル調節装置が組み込まれた携帯電話機の一実施例における構成を示す構成図である。
【図２】ＣＰＵによる音声レベル調節の手順を示すフローチャートである。
【図３】識別回路の一実施例を示す回路図である。
【図４】マイクロフォンのレベル調節の概略手順を説明するための説明図である。
【図５】スピーカのレベル調節の概略手順を説明するための説明図である。
【図６】従来装置の概略構成を示す構成図である。
【符号の説明】
２…音声処理部、    ３…制御部、    ４…内蔵マイク、    ５…内蔵スピーカ、    ２０…送信用電子減衰器、    ２１…受信用電子減衰器、    ２２…ＥＥＰＲＯＭ、２３…識別回路、    ２４ａ…第１の識別抵抗、    ２４ｂ…第２の識別抵抗、    ２４ｃ…分圧共通抵抗、    ２５…識別抵抗切替スイッチ
【図１】
0003606903.tif 000002
【図２】
0003606903.tif 000003
【図３】
0003606903.tif 000004
【図４】
0003606903.tif 000005
【図５】
0003606903.tif 000006
【図６】
0003606903.tif 000007